(57)【要約】【課題】定盤上をスムーズに移動できるとともに、定盤の材質に左右されずに吸着固定できる測定用補助台を提供する。【解決手段】本発明の測定用補助台１は、被測定物および測定器のいずれか一方が載置される台本体１０を備え、台本体１０は、定盤に対向する台本体１０の対向面１０Ａに設けられ、定盤との間に密閉空間１０Ｃを形成する空洞部１０Ｂおよび定盤に向かって圧縮空気を噴出する噴出部１３と、空気の吸込部１４３および圧縮空気の吹出部１４４を有する空気圧縮ポンプ１４と、空気圧縮ポンプ１４を駆動させる電源１５と、を有し、空気圧縮ポンプ１４の吹出部１４４は、噴出部１３に連通され、空気圧縮ポンプ１４の吸込部１４３は、連通手段１７を介して空洞部１０Ｂに連通され、連通手段１７は、空気圧縮ポンプ１４の吸込部１４３および空洞部１０Ｂを大気に連通させる切換手段１７４を有する。【選択図】図２
2008151656.tif 000002
【特許請求の範囲】
【請求項１】
定盤上において、被測定物および測定器のいずれか一方を他方に対して移動させながら測定を行う際に用いられる測定用補助台であって、
前記被測定物および測定器のいずれか一方が載置される台本体を備え、
前記台本体は、
前記定盤に対向する前記台本体の対向面に設けられ、前記定盤との間に密閉空間を形成する空洞部および前記定盤に向かって圧縮空気を噴出する噴出部と、
空気の吸込部および圧縮空気の吹出部を有する空気圧縮ポンプと、
前記空気圧縮ポンプを駆動させる電源と、を有し、
前記空気圧縮ポンプの前記吹出部は、前記噴出部に連通され、
前記空気圧縮ポンプの前記吸込部は、連通手段を介して前記空洞部に連通され、
前記連通手段は、
前記空気圧縮ポンプの前記吸込部および前記空洞部を大気に連通させる切換手段を有することを特徴とする測定用補助台。
【請求項２】
請求項１に記載の測定用補助台において、
前記空気圧縮ポンプおよび前記電源が、前記空洞部内に設けられることを特徴とする測定用補助台。
【請求項３】
請求項１に記載の測定用補助台において、
前記空気圧縮ポンプおよび前記電源が、前記空洞部を挟んで前記定盤と逆側に設けられることを特徴とする測定用補助台。
【請求項４】
請求項１ないし請求項３のいずれかに記載の測定用補助台において、
前記切換手段は、前記台本体の外表面に設けられ前記切換手段の状態を切り換える操作部を有することを特徴とする測定用補助台。
【請求項５】
請求項１ないし請求項４のいずれかに記載の測定用補助台において、
前記電源は、充電可能であることを特徴とする測定用補助台。
【発明の詳細な説明】
【技術分野】
【０００１】
本発明は、測定用補助台に関する。詳しくは、定盤上において、被測定物および測定器のいずれか一方を他方に対して移動させながら測定を行う際に用いられる測定用補助台に関する。
【背景技術】
【０００２】
従来、ダイヤルゲージ等の測定器を保持するものとして、マグネチックスタンドが知られている。
マグネチックスタンドは、磁力によって吸着力を発生する磁力吸着手段を備えた台本体と、この台本体の上面に設けられた支柱と、この支柱にそって上下動自在に設けられ測定器等を取付けるためのブラケットとを備えた構成である。
使用に際しては、ブラケットに測定器（ダイヤルゲージ等）を固定した台本体を、定盤上の任意の場所に移動させる。磁力吸着手段によって台本体を定盤に吸着固定させ、被測定物の測定作業を行う。
【０００３】
このような、マグネチックスタンドは、磁力を利用して台本体を定盤に吸着固定するものであるため、固定しようとする対象物（すなわち定盤）が磁性体に限定されていた。
そこで、台本体を対象物に対して真空吸着させる真空吸着手段を備え、固定しようとする対象物の材質に左右されずに台本体を吸着固定できる真空吸着ツールスタンドが提案されている（特許文献１）。特許文献１の第三実施形態には、真空吸着手段に加え、定盤に向けて圧縮空気を噴出する空気噴出孔を備え、定番上における台本体の移動をスムーズにした真空吸着ツールスタンドも開示されている。
【０００４】
【特許文献１】特開２００５−２１２０３１号公報
【発明の開示】
【発明が解決しようとする課題】
【０００５】
しかしながら、特許文献１に記載の真空吸着ツールスタンドにおいては、真空吸着手段として外付けの吸引ポンプを使用し、台本体と真空ポンプとをチューブによって接続していた。また、圧縮空気を噴出させる場合には、別途空気圧縮ポンプを接続するチューブが必要であった。そして、台本体にこれらのチューブが接続されている場合、台本体の移動が妨げられるという問題があった。
【０００６】
本発明の目的は、上記のような問題点を解消し、定盤上をスムーズに移動できるとともに、定盤の材質に左右されずに吸着固定できる測定用補助台を提供することである。
【課題を解決するための手段】
【０００７】
本発明の測定用補助台は、定盤上において、被測定物および測定器のいずれか一方を他方に対して移動させながら測定を行う際に用いられる測定用補助台であって、前記被測定物および測定器のいずれか一方が載置される台本体を備え、前記台本体は、前記定盤に対向する前記台本体の対向面に設けられ、前記定盤との間に密閉空間を形成する空洞部および前記定盤に向かって圧縮空気を噴出する噴出部と、空気の吸込部および圧縮空気の吹出部を有する空気圧縮ポンプと、前記空気圧縮ポンプを駆動させる電源と、を有し、前記空気圧縮ポンプの前記吹出部は、前記噴出部に連通され、前記空気圧縮ポンプの前記吸込部は、連通手段を介して前記空洞部に連通され、前記連通手段は、前記空気圧縮ポンプの前記吸込部および前記空洞部を大気に連通させる切換手段を有することを特徴とする。
【０００８】
本発明によれば、測定用補助台の台本体が、定盤に向かって圧縮空気を噴出する噴出部と、空気の吸込部および圧縮空気の吹出部を有する空気圧縮ポンプと、空気圧縮ポンプを駆動させる電源と、を有し、空気圧縮ポンプの吹出部は、台本体の対向面に設けられた噴出部に連通されるので、測定用補助台が定盤上をスムーズに移動できる。
すなわち、電源によって駆動した空気圧縮ポンプが、吹出部と連通する噴出部から定盤に向かって圧縮空気を噴出することにより、台本体と定盤との間に空気膜を形成することができ、測定用補助台が定盤上をスムーズに移動できる。
【０００９】
また、測定用補助台の台本体が、定盤に対向する台本体の対向面に設けられ定盤との間に密閉空間を形成する空洞部と、空気の吸込部および圧縮空気の吹出部を有する空気圧縮ポンプと、空気圧縮ポンプを駆動させる電源と、を有し、空気圧縮ポンプの吸込部は、連通手段を介して空洞部に連通されるので、台本体を定盤に対して真空吸着させることができ、測定用補助台を定盤の材質に左右されずに吸着固定できる。
つまり、台本体の対向面を定盤に当接させ、空洞部と定盤とによって密閉空間を形成した状態において、電源によって空気圧縮ポンプを駆動させれば、連通手段によって吸込部と連通される空洞部すなわち密閉空間の空気が吸引され、台本体が定盤に対して真空吸着されるから、測定用補助台を定盤の材質に左右されずに吸着固定できる。
【００１０】
さらに、連通手段が、空気圧縮ポンプの吸込部と空洞部とを大気に連通させる切換手段を有するので、台本体に設けられた一つの空気圧縮ポンプによって、定盤上における測定用補助台のスムーズな移動と、測定用補助台の定盤への吸着固定と、の両方を達成することができる。
すなわち、切換手段が空気圧縮ポンプの吸込部と空洞部とを大気に連通させている状態においては、空気圧縮ポンプが、大気と空洞部（主に大気）から空気を吸い込み、この空気を圧縮して吹出部と連通する噴出部から定盤に向かって噴出する。これにより、台本体と定盤との間に空気膜を形成することができ、測定用補助台が定盤上をスムーズに移動できる。
【００１１】
一方、切換手段を操作して空気圧縮ポンプの吸込部と空洞部とを大気から遮断すると、空気圧縮ポンプが、空洞部から空気を吸い込み、この空気を圧縮して吹出部と連通する噴出部から定盤に向かって噴出する。ここで、噴出された圧縮空気の一部は空洞部に戻り、残りは大気に放出されるが、空洞部に供給される空気よりも、空洞部から吸込まれる空気のほうが多いので、噴出部から噴出される空気の量は次第に減少していく。そして、噴出される空気の力が、測定用補助台の重さを下回ると、台本体の対向面が定盤に当接され、空洞部と定盤とによって密閉空間が形成されて、台本体が定盤に対して真空吸着される。
【００１２】
このように、定盤に対する圧縮空気の噴出と空洞部からの空気の吸引とが、台本体に設けられた一つの空気圧縮ポンプによって行われるので、特許文献１の真空吸着ツールスタンドのように台本体と外部の真空ポンプとをチューブによって接続する必要がなく、チューブによって台本体の移動が妨げられることがなく、また、定盤に対して圧縮空気を噴出するために別途空気圧縮ポンプを接続する必要もない。
【００１３】
本発明において、前記空気圧縮ポンプおよび前記電源が、前記空洞部内に設けられることが好ましい。
このような構成によれば、空気圧縮ポンプと電源とが、空洞部内に設けられるので、台本体に、空気圧縮ポンプと電源とを設けるスペースを確保する必要がないので、スペースを省略することができ、台本体を小型化することができる。
【００１４】
本発明において、前記空気圧縮ポンプおよび前記電源が、前記空洞部を挟んで前記定盤と逆側に設けられることが好ましい。
このような構成によれば、空気圧縮ポンプと電源とが、空洞部を挟んで定盤と逆側に設けられるので、空気圧縮ポンプと電源とが空洞部に併設される場合に比べて、台本体の対向面の面積を小さくすることができる。
【００１５】
本発明において、前記切換手段は、前記台本体の外表面に設けられ前記切換手段の状態を切り換える操作部を有することが好ましい。
このような構成によれば、切換手段が、切換手段の状態を切り換える操作部を台本体の外表面に有するので、測定用補助台の使用時における切換手段の状態の切り換えが容易である。
【００１６】
本発明において、前記電源は、充電可能であることが好ましい。
このような構成によれば、電源が充電可能なので、充電により繰り返し使用することができる。電源に充電回路を内蔵させれば、電源を台本体から取り外すことなく充電することができ、使い勝手が向上する。
【発明を実施するための最良の形態】
【００１７】
以下、本発明の実施形態を図面に基づいて説明する。
［第１実施形態］
本発明の第１実施形態の測定用補助台１の、正面図を図１に、底面図を図２に、図２のIII−III線断面図を図３に示す。
図１に示すように、測定用補助台１は、測定器３が載置される台本体１０を備え、定盤２上において、測定器３を被測定物４に対して移動させながら測定を行う際に用いられる。
台本体１０は、略直方体形状に形成されているとともに、台本体１０の上面に垂直に設けられた支柱１１と、この支柱１１にそって上下動自在に設けられ測定器３を取付けるためのブラケット１２と、を備える。台本体１０の下面は、定盤２に対向する対向面１０Ａとなっている。
また、台本体１０は、図２および３に示すように、空洞部１０Ｂと、噴出部１３と、空気圧縮ポンプ１４と、空気圧縮ポンプ１４を駆動させる電源１５と、を有する。
【００１８】
空洞部１０Ｂは、台本体１０の対向面１０Ａの略中心部に設けられた略直方体形状の空洞であり、定盤２との間に密閉空間１０Ｃを形成することができる。
噴出部１３は、定盤２に向かって圧縮空気を噴出するための空気ノズル１３１を有する。空気ノズル１３１は、略円柱形状の一端面が台本体１０の対向面１０Ａと面一になるようにして、対向面１０Ａの四隅に設けられる。空気ノズル１３１は、対向面１０Ａと反対の端面に空気の導入孔１３１Ａを、対向面１０Ａ側に導入孔１３１Ａと連通し導入孔１３１Ａよりも径の小さい空気の吹き出し口１３１Ｂを有する。
【００１９】
空気圧縮ポンプ１４および電源１５は、空洞部１０Ｂ内の水平方向に併設される。
空気圧縮ポンプ１４は、ポンプ１４１と、ポンプ１４１を駆動させるモータ１４２と、を有する。ポンプ１４１は、略直方体形状の外形を有し、その一端面に、略円形の空気の吸込部１４３および圧縮空気の吹出部１４４を有する。モータ１４２は、略円柱形状の外形を有し、電源１５からの電力により駆動する。
ポンプ１４１とモータ１４２とは、動力伝達部１４５を介して接続され、モータ１４２の動力が動力伝達部１４５を介してポンプ１４１を駆動させる。ポンプ１４１は、吸込部１４３から空気を吸引し、吸引した空気を圧縮して吹出部１４４から放出する。
また、台本体１０の側面には、電源１５からモータ１４２への電力供給状態を切り換えて、ポンプ１４１の駆動を開始または停止させるスイッチ１６が設けられている。
スイッチ１６は、接点を空洞部１０Ｂ内に、操作レバーを台本体１０の側面に有する。このスイッチ１６の接点と操作レバーとを結ぶ配線は、台本体１０の内部を貫通して設けられるが、配線と台本体１０との間に空気を遮断する構造が設けられているため、空洞部１０Ｂと大気とは遮断されている。
電源１５は、充電回路を内蔵し、図示しない接続手段によって、外部と電気的に接続することができ、充電可能に構成されている。
【００２０】
空気圧縮ポンプ１４の吹出部１４４は、配管１４６および内部配管１３２を介して噴出部１３に連通される。
配管１４６は、断面略円形のＬ字チューブ状部材であり、空気圧縮ポンプ１４の吹出部１４４と内部配管１３２とを連通させる。
内部配管１３２は、図２に示すように、台本体１０の内部に、台本体１０の側面に沿った略長方形状に配設される。内部配管１３２は、空洞部１０Ｂへ延びる細孔である枝部１３３によって配管１４６と連通される。また、内部配管１３２は、図３に示すように、その略長方形状の四隅それぞれに垂直配管１３４を有する。垂直配管１３４の対向面１０Ａ側の端部に、前述の空気ノズル１３１が設けられている。
【００２１】
図２に示すように、空気圧縮ポンプ１４の吸込部１４３は、連通手段１７を介して空洞部１０Ｂに連通される。
連通手段１７は、配管１７１、１７２と、内部配管１７３と、切換手段１７４と、を有する。
配管１７１は、空気圧縮ポンプ１４の吸込部１４３と切換手段１７４とを連通させるチューブ状の部材である。内部配管１７３は、台本体１０の側面に設けられ、大気と空洞部１０Ｂとを連通させる断面略円形の孔部である。配管１７２は、断面略円形のＬ字チューブ状部材であり、内部配管１７３と切換手段１７４とを連通させる。
【００２２】
切換手段１７４の断面図を図４および図５に示す。
切換手段１７４は、図４（Ａ）および（Ｂ）に示すように、略円柱形状の弁体１７５と、弁体１７５を覆うように設けられた略円筒形状の筒状体１７６と、を有する。
弁体１７５は、空洞部１０Ｂ側の端部に、弁体１７５の軸と重なるようにして設けられ空洞部１０Ｂと連通する略円柱形状の穴部１７５Ａを有する。穴部１７５Ａの空洞部１０Ｂと逆側の端部には、弁体１７５の軸に垂直に設けられ弁体１７５を貫通する断面円形の孔部１７５Ｂと、弁体１７５の軸および孔部１７５Ｂに垂直に設けられ弁体１７５を貫通しない孔部１７５Ｃと、が形成されている。また、弁体１７５の空洞部１０Ｂと逆側の端部には、弁体１７５を回転操作するつまみ１７７が設けられている。このつまみ１７７が、台本体１０の外表面に設けられ切換手段１７４の状態を切り換える操作部１７７Ａに対応する。
【００２３】
筒状体１７６は、弁体１７５を軸方向を中心に回転可能に支持し、空洞部１０Ｂ側の端部に、弁体１７５の孔部１７５Ｂと連通する二つの円筒状の枝部１７６Ａ、１７６Ｂを有する。
ここで、弁体１７５の穴部１７５Ａは、図２に示すように、配管１７１と連通し、筒状体１７６の枝部１７６Ａは、配管１７２と連通している。一方、枝部１７６Ｂは、配管を介さずに空洞部１０Ｂと連通している。
したがって、図４の状態において、切換手段１７４は、空気圧縮ポンプ１４の吸込部１４３および空洞部１０Ｂを大気に連通させている。
図４において、つまみ１７７を手前側に引いて弁体１７５を９０度回転させると、図５に示すような状態となる。この状態においては、切換手段１７４は、空気圧縮ポンプ１４の吸込部１４３と空洞部１０Ｂとを連通させ、かつ大気から遮断している。
【００２４】
このような測定用補助台１を用い、定盤２上において、測定器３を被測定物４に対して移動または固定する方法を説明する。
測定用補助台１を移動させるには、切換手段１７４を操作して、図４に示すような状態とし、空気圧縮ポンプ１４の吸込部１４３および空洞部１０Ｂを大気に連通させる。スイッチ１６を操作して、電源１５からの電力供給により空気圧縮ポンプ１４を駆動させる。空気圧縮ポンプ１４は、大気と空洞部１０Ｂ（主に大気）から空気を吸い込み、この空気を圧縮して吹出部１４４と連通する噴出部１３から定盤２に向かって噴出する。これにより、図１に示すように、台本体１０と定盤２との間に空気膜を形成することができ、測定用補助台１を手で押せば、定盤２上をスムーズに移動させることができる。
この場合、噴出部１３から噴出された空気の一部が空洞部１０Ｂ内に戻り、空洞部１０Ｂ内の圧力を大気圧より少し高める作用をするが、実用上は全く問題ない。
【００２５】
測定用補助台１を固定するには、図１において、定盤２上の所望の場所に測定用補助台１を移動させた後、切換手段１７４を操作して、図５に示すような状態とし、空気圧縮ポンプ１４の吸込部１４３および空洞部１０Ｂを大気から遮断する。空気圧縮ポンプ１４は、空洞部１０Ｂから空気を吸い込み、この空気を圧縮して吹出部１４４と連通する噴出部１３から定盤２に向かって噴出する。ここで、噴出された圧縮空気の一部は空洞部１０Ｂに戻り、残りは大気に放出されるが、空洞部１０Ｂに供給される空気よりも、空洞部１０Ｂから吸込まれる空気のほうが多いので、噴出部１３から噴出される空気の量は次第に減少していく。そして、噴出される空気の力が、測定用補助台１の重さを下回ると、図６に示すように、台本体１０の対向面１０Ａが定盤２に当接され、空洞部１０Ｂと定盤２とによって密閉空間１０Ｃが形成されて、台本体１０が定盤２に対して真空吸着される。
【００２６】
本実施形態によれば、以下に示すような効果がある。
(１) 電源１５によって駆動した空気圧縮ポンプ１４が、吹出部１４４と連通する噴出部１３から定盤２に向かって圧縮空気を噴出することにより、台本体１０と定盤２との間に空気膜を形成することができ、測定用補助台１が定盤２上をスムーズに移動できる。
（２）台本体１０の対向面１０Ａを定盤２に当接させ、空洞部１０Ｂと定盤２とによって密閉空間１０Ｃを形成した状態において、電源１５によって空気圧縮ポンプ１４を駆動させれば、連通手段１７によって吸込部１４３と連通される空洞部１０Ｂすなわち密閉空間１０Ｃの空気が吸引され、台本体１０が定盤２に対して真空吸着されるから、測定用補助台１を定盤２の材質に左右されずに吸着固定できる。
（３）連通手段１７が、空気圧縮ポンプ１４の吸込部１４３および空洞部１０Ｂを大気に連通させる切換手段１７４を有するので、台本体１０に設けられた一つの空気圧縮ポンプ１４によって、定盤２上における測定用補助台１のスムーズな移動と、測定用補助台１の定盤２への吸着固定と、の両方を達成することができる。
【００２７】
（４）定盤２に対する圧縮空気の噴出と空洞部１０Ｂからの空気の吸引とが、台本体１０に設けられた一つの空気圧縮ポンプ１４によって行われるので、特許文献１の真空吸着ツールスタンドのように台本体１０と外部の真空ポンプとをチューブによって接続する必要がなく、チューブによって台本体１０の移動が妨げられることがなく、また、定盤２に対して圧縮空気を噴出するために別途空気圧縮ポンプを接続する必要もない。
（５）切換手段１７４が、切換手段１７４の状態を切り換える操作部１７７Ａ（つまみ１７７）を台本体１０の外表面に有するので、測定用補助台１の使用時における切換手段１７４の状態の切り換えが容易である。
（６）電源１５が充電可能なので、充電により繰り返し使用することができる。電源１５に充電回路を内蔵しているので、電源１５を台本体１０から取り外すことなく充電することができ、使い勝手が向上する。
（７）空気圧縮ポンプ１４および電源１５が、空洞部１０Ｂ内に設けられるので、台本体１０に、空気圧縮ポンプ１４および電源１５を設けるスペースを確保する必要がないので、スペースを省略することができ、台本体１０を小型化することができる。
【００２８】
［第２実施形態］
本発明の第２実施形態の測定用補助台１の、横から見た断面図を図７（Ａ）に、底面図を図７（Ｂ）に示す。
ここにおいて、本実施形態は、台本体１０の形状と各構成の配置とが、前述の第１実施形態と異なる。その他の構成および作用は同一であるから、同一符号を付してそれらの説明を省略する。
本実施形態の台本体１０は、略円柱形状の外形を有する。図７において、台本体１０の上面には、支柱１１およびブラケット１２が設けられるが、記載は省略している。
空洞部１０Ｂは、台本体１０の対向面１０Ａの略中心部に設けられた断面略円形の空洞である。噴出部１３は、対向面１０Ａの周方向等間隔に４つ設けられる。
【００２９】
空気圧縮ポンプ１４および電源１５は、台本体１０の空洞部１０Ｂを挟んで定盤２と逆側に設けられる。具体的には、空気圧縮ポンプ１４および電源１５は、台本体１０内部に空洞部１０Ｂとは別に設けられ図示しない開口部により大気と連通する略円柱形状の空洞部１０Ｄ内に設けられる。
内部配管１３２は、図７（Ａ）に示すように、台本体１０の内部、空洞部１０Ｂと空洞部１０Ｄとの間に、図７（Ｂ）に示すように、下から見て十字形状に配設される。そして、その四つの端部に垂直配管１３４および空気ノズル１３１が設けられている。
切換手段１７４の枝部１７６Ａは、配管を介さず空洞部１０Ｄと連通している。上述のように、空洞部１０Ｄは大気と連通しているので、枝部１７６Ａも空洞部１０Ｄを介して大気と連通する。切換手段１７４の枝部１７６Ｂは、内部配管１７８を介して空洞部１０Ｂと連通している。
【００３０】
本実施形態によれば、上述の第１実施形態の効果（１）ないし（６）に加えて、次のような効果がある。
(８)空気圧縮ポンプ１４および電源１５が、空洞部１０Ｂを挟んで定盤２と逆側に設けられるので、空気圧縮ポンプ１４および電源１５が空洞部１０Ｂに併設される場合に比べて、台本体１０の対向面１０Ａの面積を小さくすることができる。
【００３１】
［第３実施形態］
本発明の第３実施形態の測定用補助台１の底面図を図８に、図８のIX−IX線断面図を図９に示す。
ここにおいて、本実施形態は、台本体１０の形状と各構成の配置とが、前述の第１実施形態と異なる。その他の構成および作用は同一であるから、同一符号を付してそれらの説明を省略する。
本実施形態の台本体１０は、図８に示すように、第１実施形態よりも横に長い略直方体形状の外形を有する。図９において、台本体１０の上面には、支柱１１およびブラケット１２が設けられるが、記載は省略している。
空気圧縮ポンプ１４および電源１５は、台本体１０の空洞部１０Ｂと隣接して形成され図示しない開口部により大気と連通する略直方体形状の空洞部１０Ｅ内に設けられる。
【００３２】
切換手段１７４の穴部１７５Ａは、内部配管１７９を介して空洞部１０Ｂと連通している。切換手段１７４の枝部１７６Ａは、配管を介さず空洞部１０Ｅと連通している。上述のように、空洞部１０Ｅは大気と連通しているので、枝部１７６Ａも空洞部１０Ｅを介して大気と連通する。切換手段１７４の枝部１７６Ｂは、配管１７１を介して空気圧縮ポンプ１４の吸込部１４３と連通している。
このような切換手段１７４の連通状態においても、枝部１７６Ａが大気と連通する点において上述の各実施形態と共通するので、切換手段１７４は、同様の作用および効果を有する。
よって、本実施形態によれば、上述の第１実施形態の効果（１）ないし（６）と同様の効果が得られる。
【００３３】
なお、本発明は、前記実施形態に限定されるものではなく、本発明の目的を達成できる他の構成等を含み、以下に示すような変形等も本発明に含まれる。
(i)上述の各実施形態において、台本体１０は、支柱１１およびブラケット１２を備え、ブラケット１２に固定された測定器３を、被測定物４に対して移動させるとしたが、これに限らない。
例えば、台本体１０は、その上面に載置された被測定物４を、定盤２に固定された測定器３に対して移動させるものであってもよい。この場合においても、測定用補助台１は、被測定物４および測定器３のいずれか一方を他方に対して移動させることができる。そして、このような場合には、支柱１１およびブラケット１２を省略することも可能である。
【００３４】
(ii)噴出部１３の数および配置は、定盤２に向かって圧縮空気を噴出し、台本体１０と定盤２との間に空気膜を形成することができるものであればよく、上述の各実施形態で述べたものに限定されない。
例えば、各噴出部１３を台本体１０に対しバランスよく配置し、各噴出部１３から噴出される空気の量が均等になるようにすれば、台本体１０と定盤２との間に形成される空気膜の厚みが一定になり、測定用補助台１の姿勢が安定するので、よりスムーズな移動を行うことができる。
【００３５】
(iii)切換手段１７４は、切り換えにより空気圧縮ポンプ１４の吸込部１４３および空洞部１０Ｂを大気と連通または遮断させるものであればよく、上述の各実施形態において示したものに限定されない。
例えば、吸込部１４３と空洞部１０Ｂとを一本の配管で連通させ、その配管に大気と連通する枝部を設ける。この枝部の大気への開口部に、密着して開閉可能な遮蔽扉を設けて、これを切換手段１７４としても良い。
また、切換手段１７４は、例えば、空気圧縮ポンプ１４の吸込部１４３、空洞部１０Ｂ、大気の三つうち任意の二つを連通させ、残りの一つを他の二つから遮断するコックであってもよい。
測定用補助台１が、このような切換手段を備える場合においても、上述の各実施形態と同様の優れた作用および効果を得ることができる。
【産業上の利用可能性】
【００３６】
本発明は、定盤上において、被測定物および測定器のいずれか一方を他方に対して移動させながら測定を行う際に用いられる測定用補助台として利用できる。
【図面の簡単な説明】
【００３７】
【図１】本発明の第１実施形態に係る測定用補助台の正面図。
【図２】本発明の第１実施形態に係る測定用補助台の底面図。
【図３】図２のIII−III線断面図。
【図４】本発明の第１実施形態に係る測定用補助台の切換手段の断面図。
【図５】本発明の第１実施形態に係る測定用補助台の切換手段の断面図。
【図６】本発明の第１実施形態に係る測定用補助台の正面図。
【図７】本発明の第２実施形態に係る測定用補助台の底面図および側面から見た断面図。
【図８】本発明の第３実施形態に係る測定用補助台の底面図。
【図９】図８のIX−IX線断面図。
【符号の説明】
【００３８】
１…測定用補助台、２…定盤、３…測定器、４…被測定物、１０…台本体、１０Ａ…対向面、１０Ｂ…空洞部、１０Ｃ…密閉空間、１３…噴出部、１４…空気圧縮ポンプ、１５…電源、１７…連通手段、１４３…吸込部、１４４…吹出部、１７４…切換手段、１７７Ａ…操作部。
【図１】
2008151656.tif 000003
【図２】
2008151656.tif 000004
【図３】
2008151656.tif 000005
【図４】
2008151656.tif 000006
【図５】
2008151656.tif 000007
【図６】
2008151656.tif 000008
【図７】
2008151656.tif 000009
【図８】
2008151656.tif 000010
【図９】
2008151656.tif 000011